【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
創傷の上に留置されるように構成された被覆材に流体的に接続されるように構成された陰圧源と、
コントローラとを備え、前記コントローラは、
前記陰圧源、前記創傷から吸引された流体を貯蔵するように構成されたキャニスター、および前記被覆材を備える流体流路内の少なくとも1つの一時的閉塞の存在を検出するか、または検出を行わせることであって、前記少なくとも1つの一時的閉塞は前記創傷から吸引された流体が前記キャニスター内に吸引されることによって引き起こされる、検出するか、または検出を行わせることと、
前記陰圧源によってもたらされる陰圧のレベルを増加させることによって前記少なくとも1つの一時的閉塞を除去する、または除去を行わせることとを行うように構成される、陰圧創傷療法装置。
【請求項２】
前記コントローラは、前記流体流路内の前記少なくとも1つの一時的閉塞の存在を、前記陰圧源を非アクティブ化するか、または非アクティブ化を行わせることと、前記陰圧源が非アクティブ化されている間に前記流体流路内の陰圧の実質的に不連続な減少を検出するか、または検出を行わせるステップことによって検出するか、または検出を行わせるようにさら構成される請求項1に記載の装置。
【請求項３】
キャニスター入口の圧力を測定するように構成された圧力センサーをさらに備え、前記コントローラは、前記少なくとも1つの一時的閉塞の存在を、前記圧力センサーによって測定された圧力の増加を検出することによって検出するか、または検出することを行わせるようにさらに構成され、圧力の前記増加は前記少なくとも1つの一時的閉塞によって引き起こされる請求項1または2に記載の装置。
【請求項４】
陰圧療法を創傷に施すための装置であって、
創傷の上に留置されるように構成された被覆材に流体的に接続されるように構成された陰圧源であって、複数の陰圧療法パラメータに従って前記創傷に陰圧創傷療法を遂行するように構成された、陰圧源と、
コントローラとを備え、前記コントローラは、
前記複数の陰圧療法パラメータのうちの少なくともいくつかの調整を可能にするように構成されたグラフィカルユーザインターフェース(GUI)を提供することと、
前記GUIを介して、第1の陰圧療法パラメータの第1の調整を受信することと、
前記第1の陰圧療法パラメータの前記第1の調整に少なくとも一部は基づき前記陰圧源の動作を調整するか、または調整を行わせることと、
前記複数の陰圧療法パラメータに関連付けられている複数の履歴データパラメータを記録することであって、少なくとも1つの履歴データパラメータは、陰圧療法圧力療法パラメータの第1および第2の設定に関連付けられ、前記第1および第2の設定は異なる時間に前記陰圧療法パラメータに割り当てられる、記録することと、
通信インターフェース上で、前記複数の履歴データパラメータのうちの少なくともいくつかをリモートコンピュータに伝送するか、または伝送を行わせることとを行うように構成される、装置。
【請求項５】
前記リモートコンピュータに伝送される前記複数の履歴データパラメータのうちの前記少なくともいくつかは、装置識別データ、装置配置データ、療法履歴データ、およびアラームデータのうちの1つまたは複数を含む請求項4に記載の装置。
【請求項６】
前記コントローラは、前記装置の地理的配置に対応する装置配置データを記録するか、または記録を行わせるようにさらに構成される請求項4または5に記載の装置。
【請求項７】
前記コントローラは、全地球測位データ(GPS)およびセルラーネットワークデータのうちの少なくとも一方に基づき装置配置データを記録するか、または記録を行わせるように構成される請求項6に記載の装置。
【請求項８】
前記コントローラは、前記通信インターフェース上で、前記複数の履歴データパラメータのうちの前記少なくともいくつかを前記リモートコンピュータに定期的に伝送するか、または定期的伝送を行わせるようにさらに構成される請求項4から7のいずれか一項に記載の装置。
【請求項９】
前記コントローラは、
前記GUIを介して、前記複数の履歴データパラメータのうちの前記少なくともいくつかを前記リモートコンピュータに伝送する要求を受信し、
複数の履歴データパラメータのうちの前記少なくともいくつかを前記リモートコンピュータに伝送するか、または伝送を行わせるようにさらに構成される請求項4から8のいずれか一項に記載の装置。
【請求項１０】
前記コントローラは、
前記陰圧源および前記被覆材を含む流体流路内の流量を決定するか、または決定を行わせ、
前記GUIを介して、前記決定された流量の指示を提示するようにさらに構成される請求項4から9のいずれか一項に記載の装置。
【請求項１１】
前記流量の前記指示は、ゲージを含む請求項10に記載の装置。
【請求項１２】
前記流体流路の少なくとも一部の中の圧力を測定するように構成された圧力センサーをさらに備え、前記コントローラは、前記圧力センサーによって測定された圧力に少なくとも一部は基づき前記流体流路内の前記流量を決定するか、または決定を行わせるようにさらに構成される請求項10または11に記載の装置。
【請求項１３】
前記陰圧源は、真空ポンプを備え、前記コントローラは、前記真空ポンプの測定された速度に少なくとも一部は基づき前記流体流路内の前記流量を決定するか、または決定を行わせるようにさらに構成される請求項10から12のいずれか一項に記載の装置。
【請求項１４】
前記コントローラは、
前記流量が高流量閾値を満たすと決定したことに応答して前記陰圧源を非アクティブ化するか、または非アクティブ化を行わせ、
前記GUIを介して、高流量指示を提示する請求項10から13のいずれか一項に記載の装置。
【請求項１５】
前記提供される高流量指示は、高流量状態を解決するための情報をさらに含む請求項14に記載の装置。
【請求項１６】
前記コントローラは、前記GUIを介して、前記複数の陰圧療法パラメータに関連付けられている前記履歴データパラメータのうちの少なくともいくつかを時間順に表示するように構成される請求項4から15のいずれか一項に記載の装置。
【請求項１７】
前記履歴データパラメータの前記少なくともいくつかは、陰圧創傷療法の遂行に関連付けられている1つまたは複数のエラーを含む請求項4から16のいずれか一項に記載の装置。
【請求項１８】
前記コントローラは、前記GUIを介して、複数の期間にわたって遂行される陰圧創傷療法の全時間を含むログを提供するようにさらに構成され、前記1つまたは複数のエラーは、前記ログに含まれる請求項17に記載の装置。
【請求項１９】
前記コントローラは、
前記複数の履歴データパラメータのうちの前記少なくともいくつかを伝送するか、または伝送を行わせることに応答して、前記リモートコンピュータから第2の陰圧療法パラメータの第2の調整を受信するか、または受信することを行わせ、
前記第2の陰圧療法パラメータの前記受信された第2の調整に少なくとも一部は基づき陰前記圧源の動作を調整するか、または調整を行わせるようにさらに構成される請求項4から18のいずれか一項に記載の装置。
【請求項２０】
前記コントローラは、前記GUIを介して、前記第2の陰圧療法パラメータの調整を可能にするようにさらに構成される請求項19に記載の装置。
【請求項２１】
前記GUIを表示し、前記複数の陰圧療法パラメータのうちの少なくともいくつかの調整を可能にするように構成されたタッチスクリーンディスプレイをさらに備える請求項4から20のいずれか一項に記載の装置。
【請求項２２】
前記装置は、陰圧創傷療法で2つの創傷を治療するように構成され、プロセッサは、前記GUIを介して、2つの創傷の治療のアクティブ化を可能にするようにさらに構成される請求項4から21のいずれか一項に記載の装置。
【請求項２３】
前記GUIは、複数の画面、およびメニューにまとめられている複数のアイコンを備えるように構成され、前記メニューは、各画面の同じ部分に表示されるように構成される請求項4から22のいずれか一項に記載の装置。